(57)【要約】織布製のパンツ部（２）を備えるボクサーショーツ（１）であって、パンツ部（２）が、着用者の生殖器を覆うものである中央パネル（４）、及びそれぞれが着用者の片脚の前面の少なくとも一部を覆うものである２つの前側部分（５ａ）（５ｂ）を備える前部（３）と、着用者の臀部の少なくとも大半を覆うものである後側パネル（７）、及びそれぞれが着用者の片脚の裏面の少なくとも一部を覆うものである２つの後側部分（８ａ）（８ｂ）を備える後部（６）と、着用者の股底部を形成する内面の少なくとも一方の上部を覆うものである中間部（９）と、を備え、後側パネル（７）及び中間部（９）が、前部（３）及び２つの後側部分（８ａ）（８ｂ）の対応する伸縮度よりも実質的に大きい少なくとも１つの伸縮度を示す点で有意義である、ボクサーショーツ（１）。【選択図】図２
2017531105.tif 000002
【特許請求の範囲】
【請求項１】
織布製のパンツ部（２）を備え、
前記パンツ部（２）は、
着用者の生殖器を覆うものである中央パネル（４）と、２つの前側部分（５ａ）（５ｂ）であってそれぞれが前記着用者の片脚の前面の少なくとも一部を覆うものである２つの前側部分（５ａ）（５ｂ）と、を含む前部（３）と、
前記着用者の臀部の少なくとも大半を覆うものである後側パネル（７）と、２つの後側部分（８ａ）（８ｂ）であってそれぞれが前記着用者の片脚の裏面の少なくとも一部を覆うものである２つの後側部分（８ａ）（８ｂ）と、を含む後部（６）と、
前記着用者の股底部を形成する内面の少なくとも一方の上部を覆うものである中間部（９）と、を有し、
前記後側パネル（７）及び前記中間部（９）が、前記前部（３）及び前記２つの後側部分（８ａ）（８ｂ）の対応する伸縮度よりも実質的に大きい伸縮度を示すことを特徴とする、
ボクサーショーツ（１）。
【請求項２】
前記中間部（９）は、前記着用者の鼠蹊部の少なくとも一部を覆うものである部分を含むと共に、前記前部（３）にわたって延在し、かつ、前記中央パネル（４）の少なくとも一部を封止することを特徴とする、請求項１に記載のボクサーショーツ（１）。
【請求項３】
前記後側パネル（７）及び前記中間部（９）が異なる伸縮度を示すことを特徴とする、請求項１または請求項２に記載のボクサーショーツ（１）。
【請求項４】
前記後側パネル（７）及び前記中間部（９）が単一片からなることを特徴とする、請求項１乃至請求項３のいずれか１項に記載のボクサーショーツ（１）。
【請求項５】
前記後側パネル（７）及び前記中間部（９）がそれぞれ複数の伸縮度を示すことを特徴とする、請求項１乃至請求項４のいずれか１項に記載のボクサーショーツ（１）。
【請求項６】
前記後側パネル（７）及び前記中間部（９）の伸縮度が、前記後側パネル及び前記中間部が作製される前記織布の１つの領域から別の領域にわたって実質的に連続して変化することを特徴とする、請求項１乃至請求項５のいずれか１項に記載のボクサーショーツ（１）。
【請求項７】
前記後側パネル（７）が、前記前部（３）及び前記２つの後側部分（８ａ）（８ｂ）の上方向の伸縮度の４〜１６倍に相当する上方向の伸縮度を示すことを特徴とする、請求項１乃至請求項６のいずれか１項に記載のボクサーショーツ（１）。
【請求項８】
前記中間部（９）が、前記前部（３）及び前記２つの後側部分（８ａ）（８ｂ）の上方向の伸縮度の４〜１６倍に相当する上方向の伸縮度を示すことを特徴とする、請求項１乃至請求項７のいずれか１項に記載のボクサーショーツ（１）。
【請求項９】
前記後側パネル（７）及び前記中間部（９）が、前記前部（３）及び前記２つの後側部分（８ａ）（８ｂ）の幅方向の伸縮度の１．４〜３倍に相当する幅方向の伸縮度を示すことを特徴とする、請求項１乃至請求項８のいずれか１項に記載のボクサーショーツ（１）。
【請求項１０】
１５ｃＮの引張応力に対して前記織布を１２０％超伸張させるために、前記後側パネル（７）が９０ｃＮ〜３００ｃＮの上方向の弾性係数を有することを特徴とする、請求項１乃至請求項９のいずれか１項に記載のボクサーショーツ（１）。
【請求項１１】
１５ｃＮの引張応力に対して前記織布を１２０％超伸張させるために、前記中間部（９）が９０ｃＮ〜３００ｃＮの上方向の弾性係数を有することを特徴とする、請求項１乃至請求項１０のいずれか１項に記載のボクサーショーツ（１）。
【請求項１２】
１５ｃＮの引張応力に対して前記織布を１２０％超伸張させるために、前記後側パネル（７）及び前記中間部（９）が９０ｃＮ〜３１０ｃＮの幅方向の弾性係数を有することを特徴とする、請求項１乃至請求項１１のいずれか１項に記載のボクサーショーツ（１）。
【請求項１３】
前記パンツ部（２）の上部（１２）に位置するウエストバンド（１１）を備え、前記ウエストバンド（１１）が、前記着用者の胴回りの周囲に配置されるものであり、かつ、１５ｃＮの引張応力に対して１００％〜１７０％の幅方向の伸縮度を有することを特徴とする、請求項１乃至請求項１２のいずれか１項に記載のボクサーショーツ（１）。
【請求項１４】
１５ｃＮの引張応力に対して前記織布を１００％超伸張させるために、前記ウエストバンド（１１）が４９０ｃＮ〜７１０ｃＮの幅方向の弾性係数を有することを特徴とする、請求項１３に記載のボクサーショーツ（１）。
【発明の詳細な説明】
【技術分野】
【０００１】
本発明は、「ボクサーショーツ」の名称で現在市販されているものに相当し、かつ通常はあらゆる年齢層の男性を対象とした密着する短いニットパンツを指すニット製下着類に関する。本明細書において用いられるように、「ボクサーショーツ」の用語は、短いアンダーパンツに限定されず、例えば、「ロングボクサーショーツ」または「レギンス」として知られるものなどの長いアンダーパンツにも適用されることを理解されたい。
【背景技術】
【０００２】
ボクサーショーツは、体幹の下部を覆い、かつ大腿の上部を十分な長さにわたって覆うものである。ボクサーショーツは、パンツ部、及びパンツ部の上部に位置するウエストバンドを備える。ウエストバンドは着用者の胴回りの周囲に配置されるものである。パンツ部の下部の端には、２箇所の折り返しがある。この折り返しは大腿上に別個に位置するものである
【０００３】
ボクサーショーツは従来ある程度の伸縮性を示し、これによって身体部位を覆うものであるシースとして機能させるために、身体に密着させるように裁断することが可能となる。それぞれのボクサーショーツは通常、単一の胴回り寸法を有する。
【０００４】
また、ウエストバンドを縫い付ける伸縮性の高い織布を使用することにより、または互いにかつウエストバンドに取り付けられた、異なる高い伸縮度を有する複数の織布を使用することにより、全体的な伸縮性が複数の胴回り寸法に適したものとなるボクサーショーツも存在する。後者の場合には、臀部の一部を覆うものである第１の織布が、ウエストバンドを除いたボクサーショーツの残りを構成する第２の織布に縫い付けられる。第２の織布は通常、いわゆる「標準的な」伸縮度、すなわち、単一の胴回り寸法に適したボクサーショーツに適切な伸縮度を有する。
【０００５】
しかし、複数の胴回り寸法に適合させるために単一の伸縮性のある織布から作製したボクサーショーツは特に、着用者の生殖器に対して快適な支持をもたらさないことが明らかとなっている。
【０００６】
また、２つの織布（すなわち、ボクサーショーツが複数の胴回り寸法に適合するのを可能にする伸縮度を示す第１の織布、及びボクサーショーツが単一の胴回り寸法にのみ適合するように標準的な伸縮度（すなわち、ボクサーショーツのパンツ部を作製するためのみに利用されるもの）を示す第２の織布）から作製されるボクサーショーツは、その着用者の快適な動作を可能にするものではないが、これは、標準的な伸縮度を示す第２の織布によって、ボクサーショーツが、十分な伸縮を必要とされる場合に、その着用者の胴回り寸法に起因してそのように伸縮することが妨げられ、これによって不快感がもたらされるためである。さらに、着用者の生殖器は十分に支持されていない。
【発明の概要】
【０００７】
本発明は、従来技術の欠点を解消すること、特に、異なる胴回り寸法の着用者に適合し、かつ、ボクサーショーツによって覆われている着用者の身体の部位の適切な衛生状態を確保しながら、着用者の生殖器に対して快適な支持をもたらすボクサーショーツを提供することを目的とする。
【０００８】
この目的のため、本発明は、織布製のパンツ部を備えるボクサーショーツに関する。パンツ部は、
−  着用者の生殖器を覆うものである中央パネル、及びそれぞれが着用者の片脚の前面の少なくとも一部を覆うものである２つの前側部分を備える前部と、
−  着用者の臀部の少なくとも大半、及びそれぞれが着用者の片脚の裏面の少なくとも一部を覆うものである２つの後側部分を覆うものである後側パネルを備える後部と、
−  着用者の股底部を形成する内面の少なくとも一方の上部を覆うものである中間部と、
を備え、そのボクサーショーツは、後側パネル及び中間部が少なくとも前部及び２つの後側部分の対応する伸縮度よりも実質的に大きい少なくともある伸縮度を示す点で注目に値する。
【０００９】
「伸縮性」という用語は、上方向の、すなわち、着用者の身体の長さの方向、及び／または幅方向、すなわち、着用者の身体の幅の方向の伸縮性を指すものとして理解されたい。
【００１０】
単一の本発明の技術的特徴に従って、または想定されるすべての組み合わせに従って、
−  中間部は、着用者の鼠蹊部の少なくとも一部を覆うものである部分を含み、前部にわたって延在して中央パネルの少なくとも一部を封止する。
−  後側パネル及び中間部が異なる伸縮度を示す。
−  後側パネル及び中間部が単一片（一体成形）からなり、そのためそれらの間に接合領域が存在しない。
−  後側パネル及び中間部が異なる伸縮度を示す。
−  後側パネル及び中間部の伸縮度が、該パネル及び該部分が作製される織布のある領域から別の領域にわたって実質的に連続して変化する。
−  後側パネルは、前部及び２つの後側部分の上方向の伸縮度の４〜１６倍に相当する上方向の伸縮度を示すことが好ましい。
−  後側パネルは、１５ｃＮの引張応力に対して９０％〜１７０％の上方向の伸縮度を示す。
−  中間部は、前部及び２つの後側部分の上方向の伸縮度の４〜１６倍に相当する上方向の伸縮度を示すことが好ましい。
−  中間部は、１５ｃＮの引張応力に対して９０％〜１７０％の上方向の伸縮度を示し、好ましくは、１５ｃＮの引張応力に対して１３０％〜１６０％の上方向の伸縮度を示す。
−  後側パネル及び中間部は、前部及び２つの後側部分の幅方向の伸縮度の１．４〜３倍、好ましくは、１．４〜２．３倍に相当する幅方向の伸縮度を示す。
−  後側パネル及び中間部は、１５ｃＮの引張応力に対して９０％〜１７０％の幅方向の伸縮度を示し、好ましくは、１５ｃＮの引張応力に対して１３０％〜１６０％の幅方向の伸縮度を示す。
−  後側パネルは、１５ｃＮの引張応力に対して織布を１２０％超伸張させるために、９０センチニュートン（９０ｃＮ）〜３００ｃＮの上方向の弾性率または弾性係数（すなわち、スプリングバックまたは弾性回復）を示し、好ましくは、１５ｃＮの引張応力に対して織布を１２０％超伸張させるために１００ｃＮ〜２００ｃＮの上方向の弾性係数を示す。
−  中間部は、１５ｃＮの引張応力に対して織布を１２０％超伸張させるために９０ｃＮ〜３００ｃＮの上方向の弾性係数を示し、好ましくは１５ｃＮの引張応力に対して織布を１２０％超伸張させるために１００ｃＮ〜２００ｃＮの上方向の弾性係数を示す。
−  後側パネル及び中間部は、１５ｃＮの引張応力に対して織布を１２０％超伸張させるために９０ｃＮ〜３１０ｃＮの幅方向の弾性係数を示し、好ましくは、１５ｃＮの引張応力に対して織布を１２０％超伸張させるために１００ｃＮ〜３００ｃＮの幅方向の弾性係数を示す。
−  中間部は、上方向の低い伸縮度のみを示すことができ、後側パネルは、好ましくは上方向及び幅方向の両方において良好な伸縮度を示す。
−  ボクサーショーツは、パンツ部の上部に位置するウエストバンドを備え、ウエストバンドは着用者の胴回りの周囲に配置され、かつ１５ｃＮの引張応力に対して１００％〜１７０％の幅方向の伸縮度を有し、優先的に１５ｃＮの引張応力に対して１３０％〜１５０％の幅方向の伸縮度を示す。
−  ウエストバンドは、１５ｃＮの引張応力に対して織布を１００％超伸張させるために４５０ｃＮ〜７５０ｃＮの幅方向の弾性係数を示し、好ましくは、１５ｃＮの引張応力に対して織布を１００％超伸張させるために５００ｃＮ〜７００ｃＮの幅方向の弾性係数を示す。
−  後側パネルが、伸縮性ジャージ編織物から作製される。
−  中間部が、伸縮性ジャージ編織物から作製される。
−  伸縮性編織物の重量が１５０ｇ／ｍ２〜１９０ｇ／ｍ２であり、好ましくは１７０ｇ／ｍ２である。
−  伸縮性編織物が、綿及びエラスタイン（エラステイン）から作製される。
−  伸縮性編織物は、基本的に８６％〜９４％の綿及び１４％〜６％のエラスタインからなり、好ましくは基本的に９０％の綿及び１０％のエラスタインからなる。
−  前部が、シングルニットジャージ生地から作製される。
−  後側部分が、シングルニットジャージ生地から作製される。
−  シングルニット生地の重量は、１５０ｇ／ｍ２〜１９０ｇ／ｍ２であり、好ましくは１７０ｇ／ｍ２である。
−  シングルニット生地が、綿及びエラスタインから作製される。
−  シングルニット生地は、９５％〜１００％の綿及び５％〜０％のエラスタインからそれぞれなり、好ましくは基本的に９５％の綿及び５％のエラスタインからなる。
【００１１】
特に、本発明によるボクサーショーツは、着用者の生殖器に対する快適な支持をもたらして、着用者の快適な動作を可能にし、かつ着用者個人の身体における適切な衛生状態を確保しながら、複数の胴回り寸法に適合する。
【００１２】
特に、上記数値は、少なくとも２つの胴回り寸法に適合する本発明によるボクサーショーツを得ることを可能にするものである。
【００１３】
特に、優先的に示される数値の範囲は、着用者の生殖器に対する支持を最適化しながら、少なくとも３つの胴回り寸法に適合する本発明によるボクサーショーツを得ることを可能にするものである。
【００１４】
特に、中間部が中央パネルを封止することにより、この設計が着用者の生殖器の本質的に全体に対する伸縮領域を提供し、それによって中央パネルに、必要とされ得る付加的な空間または間隙が与えられるため、着用者の生殖器の支持を向上させることが可能になる。
【００１５】
特に、伸縮性が継続的に変化することにより、本発明によるボクサーショーツのさらに伸縮可能な領域（すなわち、後側パネル及び中間部）によって覆われる着用者の様々な身体部位に対してもたらされた支持を最適化しながら、さらに伸縮可能な部分全体の良好な伸縮性を維持することが可能になる。
【００１６】
特に、さらに伸縮可能な部分の伸縮性の様々な方向及び値は、本発明によるボクサーショーツが臀部及び大腿の大きさの様々なタイプの変化に適合することを可能にするものであるが、これは、それらが、着用者ごとに最も大きさが変化しやすい領域であるためである。
【００１７】
次に非限定的な例として、同一のまたは類似の参照番号が同一のまたは類似の要素または要素の組を示す添付の図面を参照して、本発明の想定される一実施形態について説明する。
【図面の簡単な説明】
【００１８】
【図１】本発明の実施形態による、ボクサーショーツの後面図である。
【図２】本発明の実施形態による、ボクサーショーツの正面図である。
【図３】従来技術によるボクサーショーツのウエストバンドのヒステリシス曲線、及び本発明によるボクサーショーツのウエストバンドのヒステリシス曲線を示す。
【発明を実施するための形態】
【００１９】
ここで図１及び図２を参照すると、本発明の実施形態による１着のボクサーショーツ（１）は、織布製のパンツ部（２）を備える。パンツ部（２）は、
−  着用者の生殖器を覆うものである中央パネル（４）、及びそれぞれが着用者の片脚の前面を覆うものである２つの前側部分（５ａ）及び（５ｂ）を含む前部（３）と、
−  少なくとも、着用者の臀部を覆うものである後側パネル（７）、及びそれぞれが着用者の片脚の裏面を覆うものである２つの後側部分（８ａ）及び（８ｂ）を覆うものである後側パネル（７）を含む後部（６）と、
−  着用者の股底部を形成する脚の内面を覆うものであり、着用者の鼠蹊部を覆うものである部分（１０）を備え、このように、前部（３）にわたって延在して中央パネル（４）の少なくとも一部を封止する中間部（９）と、を備える。
【００２０】
後側パネル（７）及び中間部（９）は、１５ｃＮの引張応力に対する１４５％の上方向及び幅方向の伸縮度を示し、前部（３）ならびに２つの後側部分（８ａ）及び（８ｂ）は、１５ｃＮの引張応力に対する２０％の上方向の伸縮度、及び１５ｃＮの引張応力に対する８０％の幅方向の伸縮度を示す。
【００２１】
後側パネル（７）及び中間部（９）は、１片の織布から作製される単一の部分からなり、このため、それらの間に接合領域が存在しない。
【００２２】
また、後側パネル（７）及び中間部（９）は、１５ｃＮの引張応力に対する１４５％の伸張のための１５０ｃＮの上方向及び幅方向の弾性係数を示し、前部（３）ならびに２つの後側部分（８ａ）及び（８ｂ）は、１５ｃＮの引張応力に対する５０％の伸張のための１００ｃＮの上方向及び幅方向の弾性係数を示す。
【００２３】
ボクサーショーツ（１）は、パンツ部（２）の上部（１２）に位置するウエストバンド（１１）を備える。ウエストバンド（１１）は、着用者の胴回りの周囲に配置されるものであり、かつ１５ｃＮの引張応力に対して１４５％の幅方向の伸縮度を有する。
【００２４】
ウエストバンドは、１５ｃＮの引張応力に対する１４５％の伸張のための５５０ｃＮの幅方向の弾性係数を示す。
【００２５】
好ましい実施形態において、後側パネル（７）及び中間部（９）は、１７０ｇ／ｍ２の重量を有し、かつ９０％の綿及び１０％のエラスタインからなる伸縮性ジャージ編織物から作製される。
【００２６】
好ましい実施形態において、前部及び後側部分は、１７０ｇ／ｍ２の重量を有し、かつ９５％の綿及び５％のエラスタインからなるシングルニットジャージ生地から作製される。
【００２７】
本発明によるボクサーショーツは、裁断・縫製方式で製造される。しかし、それはまた、材料を縫い合わせるのではなく、互いに接着させる接着方式によって製造されてもよい。最後に、このボクサーショーツは、サントーニタイプの設備を用いて単一の一体部品の形で製品が作製される、いわゆる「シームレス」またはサントーニ方式で製造することができる。この方式により、製品の様々な領域に応じて、製品の伸縮性を変化させることができる。
【００２８】
より詳細には、図１は、上述の本発明によるボクサーショーツの後部（６）を示す。
【００２９】
より詳細には、図２は、上述の本発明によるボクサーショーツの前部（３）及び中間部（９）を示す。
【００３０】
図３は、伸張に応じた弾性係数を示す図において、例えば、１５ｃＮの引張応力に対する８０％の伸縮性、及び１５ｃＮの引張応力に対する８０％の伸縮性の８００ｃＮの弾性係数を示す、（例えば、図１及び図２を参照して説明するような）本発明によるウエストバンドのヒステリシス曲線（曲線１３）と、従来技術による既知のウエストバンド（曲線１４）との間の差異を示す。
【００３１】
これらの重畳曲線１３及び１４を読み取ることにより、ウエストバンドの伸縮が大きいほど、同じ伸縮に対する従来技術によるウエストバンドの弾性係数と比較して、本発明によるウエストバンドの弾性係数が低くなることが明らかになる。また、従来技術によるウエストバンドの範囲よりも広い範囲にわたって本発明によるウエストバンドを伸張させることができることも理解することができる。
【００３２】
本発明は必然的に、本明細書において例として説明された実施形態に限定されないが、本明細書において説明された手段の同等の技術及び変形例ならびに、その想定される組み合わせを含む。
【符号の説明】
【００３３】
１  ボクサーショーツ
２  パンツ部
３  前部
４  中央パネル
５ａ、５ｂ  前側部分
６  後部
７  後側パネル
８ａ、８ｂ  後側部分
９  中間部
１１  ウエストバンド
１２  上部
【図１】
2017531105.tif 000003
【図２】
2017531105.tif 000004
【図３】
2017531105.tif 000005
【国際調査報告】
2017531105.tif 000006
2017531105.tif 000007